(57)【要約】【課題】画像データの所望の範囲の特定の色を他の色に変換する際、特定の色の選択を容易にする。【解決手段】画像データの表示部と、前記表示部に表示された前記画像データを構成する画素から一部の画素を選択可能な選択部と、前記一部の画素の色を基準に色範囲を設定可能な色範囲設定部と、前記画像データを構成する画素が前記色範囲に該当する画素か否かを判断する判断部と、前記判断部の判断を、隣接する画素が前記色範囲に該当しない画素になるまで、前記一部の画素を基準として、隣接する画素に対して順次行わせるよう実行する判断実行部と、前記判断部により、前記色範囲に該当する画素と判断された画素を指定する画素指定部と、前記画素指定部により指定された画素の色を変換する色変換部と、前記色変換部により、前記画素指定部により指定された画素の、色の変換が行われた前記画像データに基づいて記録データを生成する記録データ生成部と、を備える。【選択図】図７
2014116823.tif 000002
【特許請求の範囲】
【請求項１】
画像データに基づいて記録装置での記録に用いられる記録データを生成する記録データ生成装置であって、
前記画像データの表示部と、
前記表示部に表示された前記画像データを構成する画素から一部の画素を選択可能な選択部と、
前記一部の画素の色を基準に色範囲を設定可能な色範囲設定部と、
前記画像データを構成する画素が前記色範囲に該当する画素か否かを判断する判断部と、
前記判断部の判断を、隣接する画素が前記色範囲に該当しない画素になるまで、前記一部の画素を基準として、隣接する画素に対して順次行わせるよう実行する判断実行部と、
前記判断部により、前記色範囲に該当する画素と判断された画素を指定する画素指定部と、
前記画素指定部により指定された画素の色を変換する色変換部と、
前記色変換部により、前記画素指定部により指定された画素の、色の変換が行われた前記画像データに基づいて記録データを生成する記録データ生成部と、を備えることを特徴とする記録データ生成装置。
【請求項２】
請求項１に記載の記録データ生成装置において、
前記色変換部は、前記画素指定部により指定された画素の色を、透明色、白色又は指定色のいずれか１つに変換可能であり、
該記録データ生成装置は、前記指定色の色を任意に指定可能な色指定部を備えることを特徴とする記録データ生成装置。
【請求項３】
請求項２に記載の記録データ生成装置において、
前記画素指定部により指定された画素の色を各々格納する格納部を備え、
前記色指定部は、前記格納部に格納された各々の画素の色のずれに対応して、前記画素指定部により指定された画素の色を各々ずらして指定することを特徴とする記録データ生成装置。
【請求項４】
請求項２又は３に記載の記録データ生成装置において、
前記色変換部は、前記画素指定部により指定された画素の色の変換を行う際のデータ処理方法を、透明色又は白色に変換する際と指定色に変換する際とで異ならせることを特徴とする記録データ生成装置。
【請求項５】
請求項１から４のいずれか１項に記載の記録データ生成装置において、
前記選択部は、前記画像データを構成する画素から複数の画素を選択可能であり、
前記色範囲設定部は、前記複数の画素の色の平均値を基準に色範囲を設定可能であることを特徴とする記録データ生成装置。
【請求項６】
請求項５に記載の記録データ生成装置において、
前記選択部は、前記色範囲設定部により設定された色範囲の画素からさらに一部の画素を選択可能であることを特徴とする記録データ生成装置。
【請求項７】
請求項１から６のいずれか１項に記載の記録データ生成装置と、
前記記録データ生成装置で生成された記録データに基づいて記録を行う記録装置と、を有することを特徴とする記録システム。
【請求項８】
画像データに基づいて記録装置での記録に用いられる記録データを生成するためのプログラムであって、コンピューターを、
前記画像データの表示部、
前記表示部に表示された前記画像データを構成する画素から一部の画素を選択可能な選択部、
前記一部の画素の色を基準に色範囲を設定可能な色範囲設定部、
前記画像データを構成する画素が前記色範囲に該当する画素か否かを判断する判断部、
前記判断部の判断を、隣接する画素が前記色範囲に該当しない画素になるまで、前記一部の画素を基準として、隣接する画素に対して順次行わせるよう実行する判断実行部、
前記判断部により、前記色範囲に該当する画素と判断された画素を指定する画素指定部、
前記画素指定部により指定された画素の色を変換する色変換部、
前記色変換部により、前記画素指定部により指定された画素の、色の変換が行われた前記画像データに基づいて記録データを生成する記録データ生成部、として機能させることを特徴とするプログラム。
【請求項９】
画像データに基づいて記録装置での記録に用いられる記録データを生成する記録データ生成方法であって、
前記画像データの表示工程と、
前記表示工程で表示された前記画像データを構成する画素から一部の画素を選択する選択工程と、
前記一部の画素の色を基準に色範囲を設定する色範囲設定工程と、
前記画像データを構成する画素が前記色範囲に該当する画素か否かを判断する判断工程を、隣接する画素が前記色範囲に該当しない画素になるまで、前記一部の画素を基準として、隣接する画素に対して順次行わせるよう実行する判断実行工程と、
前記判断工程により、前記色範囲に該当する画素と判断された画素を指定する画素指定工程と、
前記画素指定工程により指定された画素の色を変換する色変換工程と、
前記色変換工程により、前記画素指定工程により指定された画素の、色の変換が行われた前記画像データに基づいて記録データを生成する記録データ生成工程と、を備えることを特徴とする記録データ生成方法。
【請求項１０】
請求項２から６のいずれか１項に記載の記録データ生成装置における画像データ表示方法であって、
前記表示部において、前記画像データを、
前記色変換部が前記画素指定部により指定された画素の色を透明色に変換する場合、被記録媒体の地色を反映させて表示し、
前記色変換部が前記画素指定部により指定された画素の色を白色に変換する場合、被記録媒体の地色と、白色での記録における白色インクの記録密度に対応する白色度と、を反映させて表示し、
前記色変換部が前記画素指定部により指定された画素の色を指定色に変換する場合、
白色での記録をさらに行う場合は、指定色の色と白色での記録における白色インクの記録密度に対応する白色度とを反映させて表示し、
白色での記録をさらに行う場合以外は、指定色の色を反映させて表示することを特徴とする画像データ表示方法。
【発明の詳細な説明】
【技術分野】
【０００１】
本発明は、記録データ生成装置、記録システム、プログラム、記録データ生成方法及び画像データ表示方法に関する。
【背景技術】
【０００２】
従来から、画像データに基づいて記録装置での記録に用いられる記録データを生成する記録データ生成装置が使用されている。このような記録データ生成装置においては、画像データの特定の色を他の色に変換する処理が多く行われている。  
例えば、特許文献１には、画像データの特定の色を他の色に変換する際に変換後の色を複数の色の中から選択することが可能な画像処理方法が開示されている。
【先行技術文献】
【特許文献】
【０００３】
【特許文献１】特開昭６３−４６０７１号公報
【発明の概要】
【発明が解決しようとする課題】
【０００４】
画像データの所望の領域の特定の色を他の色に変換する際、特定の色を選択することが容易でない場合がある。例えば、画像データのうちの所望の領域内の特定の色のみを変換する場合、該所望の領域の指定が正確にできないと、所望の領域外の該特定の色も変換してしまう場合がある。また、所望の領域内の指定を正確に行おうとすると、画像データによっては困難な場合がある。  
しかしながら、特許文献１の画像処理方法は、画像データの所望の領域の特定の色を他の色に変換する際、特定の色を選択することを容易にする技術ではない。
【０００５】
そこで、本発明の目的は、画像データの所望の領域の特定の色を他の色に変換する際、特定の色の選択を容易にすることである。
【課題を解決するための手段】
【０００６】
上記課題を解決するための本発明の第１の態様の記録データ生成装置は、画像データに基づいて記録装置での記録に用いられる記録データを生成する記録データ生成装置であって、前記画像データの表示部と、前記表示部に表示された前記画像データを構成する画素から一部の画素を選択可能な選択部と、前記一部の画素の色を基準に色範囲を設定可能な色範囲設定部と、前記画像データを構成する画素が前記色範囲に該当する画素か否かを判断する判断部と、前記判断部の判断を、隣接する画素が前記色範囲に該当しない画素になるまで、前記一部の画素を基準として、隣接する画素に対して順次行わせるよう実行する判断実行部と、前記判断部により、前記色範囲に該当する画素と判断された画素を指定する画素指定部と、前記画素指定部により指定された画素の色を変換する色変換部と、前記色変換部により、前記画素指定部により指定された画素の、色の変換が行われた前記画像データに基づいて記録データを生成する記録データ生成部と、を備えることを特徴とする。
【０００７】
ここで、「前記一部の画素の色を基準に色範囲を設定可能」とは、例えば、前記一部の画素の色を各々２５６階調のＲＧＢ値で表した場合において、その値を中心とした所望の振幅のＲＧＢ値の範囲で該色範囲を設定可能である場合が該当する。なお、ＲＧＢ値で表す構成の他、Ｌ＊ａ＊ｂ＊値で表す構成等であってもよい。
【０００８】
本態様によれば、画像データの所望の領域内の画素のうちの一部を選択し、該画素の色を基準にして色範囲を設定することによって、該画素を基準にして色変換を行う画素の領域が該所望の領域となるようにすることができる。このため、色変換を行いたい画素の選択が容易になる。すなわち、画像データの所望の領域の特定の色を他の色に変換する際、特定の色の選択を容易にすることができる。そして、前記色変換部によって、所望の領域の画素を所望の色に容易に変換することができる。
【０００９】
本発明の第２の態様の記録データ生成装置は、前記第１の態様において、前記色変換部は、前記画素指定部により指定された画素の色を、透明色、白色又は指定色のいずれか１つに変換可能であり、該記録データ生成装置は、前記指定色の色を任意に指定可能な色指定部を備えることを特徴とする。
【００１０】
本態様によれば、前記画素指定部により指定された画素の色を、透明色、白色又は指定色の３種類に容易に変換することができる。また、前記指定色として任意な色を選択することができる。
【００１１】
本発明の第３の態様の記録データ生成装置は、前記第２の態様において、前記画素指定部により指定された画素の色を各々格納する格納部を備え、前記色指定部は、前記格納部に格納された各々の画素の色のずれに対応して、前記画素指定部により指定された画素の色を各々ずらして指定することを特徴とする。
【００１２】
本態様によれば、色変換後の各画素の色のずれは色変換前の各画素の色のずれに対応する。すなわち、色変換前後で選択された画素の色の階調を維持することができる。
【００１３】
本発明の第４の態様の記録データ生成装置は、前記第２又は第３の態様において、前記色変換部は、前記画素指定部により指定された画素の色の変換を行う際のデータ処理方法を、透明色又は白色に変換する際と指定色に変換する際とで異ならせることを特徴とする。
【００１４】
指定色の記録を行う際には、カラーマッチング等には因らず、特定のマーク等については特定の色で記録を行うことがある。このため、透明色又は白色の記録を行う際とは異なるデータ処理が求められる場合がある。本態様によれば、このような場合に対応できる。  
例えば、指定された画素のデータを透明色又は白色に対応するデータに変換する際はＲＧＢデータから直接ＣＭＹＫデータに変換し、指定された画素のデータを指定色に対応するデータに変換する際はＲＧＢデータを別のＲＧＢデータに変換した後にＣＭＹＫデータに変換すること等が可能になる。
【００１５】
本発明の第５の態様の記録データ生成装置は、前記第１から第４のいずれか１つの態様において、前記選択部は、前記画像データを構成する画素から複数の画素を選択可能であり、前記色範囲設定部は、前記複数の画素の色の平均値を基準に色範囲を設定可能であることを特徴とする。
【００１６】
本態様によれば、複数の画素の色の平均値を基準に色範囲を設定可能である。このため、前記指定部によって指定したい画素が一様な色ではない場合に、指定したい画素のうちの複数の画素の平均値を基準とできることにより、より正確に指定したい画素を指定することが可能になる。
【００１７】
本発明の第６の態様の記録データ生成装置は、前記第５の態様において、前記選択部は、前記色範囲設定部により設定された色範囲の画素からさらに一部の画素を選択可能であることを特徴とする。
【００１８】
本態様によれば、第５の態様よりもさらに正確に、特に狭い領域に様々な色を含む画像データにおいて、指定したい画素を指定することが可能になる。
【００１９】
本発明の第７の態様の記録システムは、前記第１から第６のいずれか１つの態様の記録データ生成装置と、前記記録データ生成装置で生成された記録データに基づいて記録を行う記録装置と、を有することを特徴とする。
【００２０】
本態様によれば、画像データの所望の領域の特定の色を他の色に変換する際、特定の色の選択を容易にすることができる。そして、所望の領域の画素を所望の色に容易に変換して記録することができる。
【００２１】
本発明の第８の態様のプログラムは、画像データに基づいて記録装置での記録に用いられる記録データを生成するためのプログラムであって、コンピューターを、前記画像データの表示部、前記表示部に表示された前記画像データを構成する画素から一部の画素を選択可能な選択部、前記一部の画素の色を基準に色範囲を設定可能な色範囲設定部、前記画像データを構成する画素が前記色範囲に該当する画素か否かを判断する判断部、前記判断部の判断を、隣接する画素が前記色範囲に該当しない画素になるまで、前記一部の画素を基準として、隣接する画素に対して順次行わせるよう実行する判断実行部、前記判断部により、前記色範囲に該当する画素と判断された画素を指定する画素指定部、前記画素指定部により指定された画素の色を変換する色変換部、前記色変換部により、前記画素指定部により指定された画素の、色の変換が行われた前記画像データに基づいて記録データを生成する記録データ生成部、として機能させることを特徴とする。
【００２２】
本態様によれば、画像データの所望の領域の特定の色を他の色に変換する際、特定の色の選択を容易にすることができる。そして、所望の領域の画素を所望の色に容易に変換することができる。
【００２３】
本発明の第９の態様の記録データ生成方法は、画像データに基づいて記録装置での記録に用いられる記録データを生成する記録データ生成方法であって、前記画像データの表示工程と、前記表示工程で表示された前記画像データを構成する画素から一部の画素を選択する選択工程と、前記一部の画素の色を基準に色範囲を設定する色範囲設定工程と、前記画像データを構成する画素が前記色範囲に該当する画素か否かを判断する判断工程を、隣接する画素が前記色範囲に該当しない画素になるまで、前記一部の画素を基準として、隣接する画素に対して順次行わせるよう実行する判断実行工程と、前記判断工程により、前記色範囲に該当する画素と判断された画素を指定する画素指定工程と、前記画素指定工程により指定された画素の色を変換する色変換工程と、前記色変換工程により、前記画素指定工程により指定された画素の、色の変換が行われた前記画像データに基づいて記録データを生成する記録データ生成工程と、を備えることを特徴とする。
【００２４】
本態様によれば、画像データの所望の領域の特定の色を他の色に変換する際、特定の色の選択を容易にすることができる。そして、所望の領域の画素を所望の色に容易に変換することができる。
【００２５】
本発明の第９の態様の画像データ表示方法は、前記第２から第６のいずれか１つの態様の記録データ生成装置における画像データの表示方法であって、前記表示部において、前記画像データを、前記色変換部が前記画素指定部により指定された画素の色を透明色に変換する場合、被記録媒体の地色を反映させて表示し、前記色変換部が前記画素指定部により指定された画素の色を白色に変換する場合、被記録媒体の地色と、白色での記録における白色インクの記録密度に対応する白色度と、を反映させて表示し、前記色変換部が前記画素指定部により指定された画素の色を指定色に変換する場合、白色での記録をさらに行う場合は、指定色の色と白色での記録における白色インクの記録密度に対応する白色度とを反映させて表示し、白色での記録をさらに行う場合以外は、指定色の色を反映させて表示することを特徴とする。
【００２６】
本態様によれば、実際に被記録媒体に記録がなされた記録画像に近い状態の画像を表示することが可能になる。
【図面の簡単な説明】
【００２７】
【図１】本発明の一実施例に係る記録システムを構成する記録装置を表す概略斜視図。
【図２】本発明の一実施例に係る記録システムを構成する記録装置を表す概略正面図。
【図３】本発明の一実施例に係る記録システムを構成する記録装置のブロック図。
【図４】本発明の一実施例に係る記録システムを構成するＰＣのブロック図。
【図５】モニターに表示された画像データを構成する画素から一部の画素を選択する際の表示画面。
【図６】モニターに表示された画像データを構成する画素から一部の領域の画素を選択する際の表示画面。
【図７】色変換を行う画素を指定するための色範囲設定画面。
【図８】色変換を行う画素を指定するための色範囲設定画面。
【図９】本発明の一実施例に係る記録データ生成方法を表すフローチャート。
【図１０】本発明の一実施例に係る画像データ表示方法を表すフローチャート。
【図１１】画像データの指定色での表示例。
【図１２】画像データの白色での表示例。
【図１３】画像データの透過率を設定した上での指定色での表示例。
【図１４】画像データの指定色での表示例。
【発明を実施するための形態】
【００２８】
［記録データ生成装置及び記録システムの実施例］（図１〜図５）  
以下に、本発明の一実施例に係る記録データ生成装置及び記録システムについて、添付図面を参照して詳細に説明する。  
最初に、本発明の一実施例に係る記録システムを構成する記録装置について説明する。  
図１は本発明の一実施例に係る記録装置１の概略斜視図、図２は概略正面図を表している。なお、本実施例の記録装置１は、被記録媒体Ｍ（図５参照）としての布帛に記録を実行可能な構成の記録装置であるが、このような構成の記録装置に限定されない。
【００２９】
本実施例の記録装置１は、被記録媒体Ｍとしての布帛を支持する媒体支持トレイ２を備えている。また、媒体支持トレイ２に支持された被記録媒体Ｍを搬送方向Ａに搬送する移動機構３を備えている。なお、本実施例における移動機構３は記録ヘッド６（図３参照）に対して媒体支持トレイ２を移動させる（媒体支持トレイ２に支持された被記録媒体Ｍを搬送する）構成である。しかしながら、媒体支持トレイ２に対して記録ヘッド６を移動させる構成や、両者を相対移動させる構成であってもよい。  
また、媒体支持トレイ２はステージ４に支持されている。媒体支持トレイ２はステージ４と共に、回転レバー５を回転させることにより、高さ方向Ｃに移動する。
【００３０】
また、記録装置１の本体内部には記録ヘッド６が備えられている。そして、本実施例の記録装置１は、搬送方向Ａと交差する走査方向Ｂに記録ヘッド６を往復移動させながら、記録ヘッド６から媒体支持トレイ２に支持されて搬送される被記録媒体Ｍにインクを吐出させて、記録データに基づく画像を形成する。なお、本実施例の記録装置１は、図１中の手前側（左下方向）が媒体支持トレイ２への被記録媒体Ｍのセット位置であり、図１中の奥側（右上方向）の記録開始位置まで被記録媒体Ｍをセットした媒体支持トレイ２を移動した後、図１中の手前側に媒体支持トレイ２を移動しながら記録する。
【００３１】
また、記録装置１には、モニター８及びコントロールパネル９が設けられている。ユーザーは、コントロールパネル９を用いて、モニター８に表示されるメニューから所望のメニューを選択し記録装置１に実行させることができる。例えば、使用する被記録媒体Ｍの種類や搬送方向Ａ及び走査方向Ｂにおける記録モード等を選択し記録装置１に実行させることができる。  
なお、記録装置１は、白色インク、黒色インク、シアンインク、マゼンタインク、イエローインクを収容したインクカートリッジ（不図示）を備えている。  
【００３２】
次に、本実施例の記録装置１における電気的な構成について説明する。  
図３は、本実施例の記録装置１のブロック図である。  
制御部１０には、記録装置１の全体の制御を司るＣＰＵ１１が設けられている。ＣＰＵ１１は、システムバス１２を介して、ＣＰＵ１１が実行する各種制御プログラムやメンテナンスシーケンス等を格納したＲＯＭ１３と、データを一時的に格納可能なＲＡＭ１４と接続されている。また、ＣＰＵ１１は、システムバス１２を介して、記録ヘッド６を駆動するためのヘッド駆動部１５と接続されている。また、記録ヘッド６を搭載したキャリッジを移動させるためのキャリッジモーター１６及び被記録媒体Ｍを搬送するための搬送モーター１７を駆動させるためのモーター駆動部１８と接続されている。さらに、本実施例の記録システムを構成すると共に記録データ生成装置としてのＰＣ２１から記録データを入力する等のためのインターフェース２０、モニター８及びコントロールパネル９とデータ及び信号の送受信を行うための入出力部１９と接続されている。
【００３３】
次に、本実施例の記録システムを構成し、記録データ生成装置としてのＰＣ２１について説明する。  
図４は、本実施例のＰＣ２１における電気的な構成を示すブロック図である。  
ＰＣ２１には、ＰＣ２１の全体の制御を司るＣＰＵ２２が設けられている。ＣＰＵ２２は、システムバス２３を介して、ＣＰＵ２２が実行する各種プログラム等を格納したＲＯＭ２４と、データを一時的に格納可能なＲＡＭ２５と、データの格納装置であるＨＤＤ２６と接続されている。また、データの格納媒体としてのＣＤ−ＲＯＭ２７を挿入し、データを読み込み可能なＣＤ−ＲＯＭドライブ２８と接続されている。さらに、記録装置１に記録データを出力等するためのインターフェース３２、キーボード２９、マウス３０及びモニター３１とデータ及び信号の送受信を行うための入出力部３３と接続されている。
【００３４】
ＰＣ２１は、画像データに基づいて記録装置での記録に用いられる記録データを生成することが可能である。モニター３１は画像データの表示部としての役割を有している。また、ユーザーは、キーボード２９及びマウス３０を用いて、モニター３１に表示された画像データを構成する画素から一部の画素を選択可能であり、キーボード２９及びマウス３０は選択部としての役割を有している。図５にモニター３１に表示された画像データを構成する画素から一部の画素を選択する際の表示画面５０を示す。
【００３５】
被記録媒体Ｍ（Ｔシャツ）における媒体支持トレイ２に支持される領域Ｒの内側に画像データに基づく画像Ｄが表示されている。図５は、ユーザーがモニター３１に表示された画像Ｄを構成する画素からマウス３０を用いてポインターＰを所望の位置に移動させてマウス３０の不図示のボタンをクリックすることによって画素Ｐ１を選択した状態を示している。なお、図６で示すように、図６の破線で示した矢印方向にマウス３０のボタンを押した状態でポインターＰを移動させることにより、所定の領域の画素Ｐ２を選択することも可能である。この場合、後述の色範囲設定部は、所定の領域の画素Ｐ２の平均値を基準に色範囲を設定可能である。
【００３６】
また、ユーザーは、モニター３１に表示された画像データを、キーボード２９及びマウス３０を用いて、前記一部の画素Ｐ１の色を基準に色範囲を設定可能であり、モニター３１、キーボード２９及びマウス３０は色範囲設定部の役割を有している。図７に色変換を行う画素を指定するための色範囲設定画面を示す。
【００３７】
色範囲設定画面１００には、ユーザーが表示画面５０で選択した画素Ｐ１のＲＧＢ値１０１が表示されている。なお、この表示はＲＧＢ値での表示に限定されず、Ｌ＊ａ＊ｂ＊値での表示やその他の方法による表示でもよい。
【００３８】
また、色変換を行う画素の変換後の色を設定する設定部１０２が表示されている。設定部１０２はプルダウン方式になっており、ポインターＰを設定部１０２に合せてクリックすると透明色、白色、指定色が選択できる構成になっている。ここで指定色を選択すると、この指定色のＲＧＢ値を入力するための画面が表示され、ユーザーは任意の色を指定色として設定することができる。なお、本実施例では透明色が選択されている。
【００３９】
また、色変換を行う画素の色範囲を設定するための選択色範囲指定部１０３が表示されている。選択色範囲指定部１０３はＲＧＢの３色に対応して表示され、レバー１０４ａ、１０４ｂと、レバー１０５ａ、１０５ｂと、レバー１０６ａ、１０６ｂとをマウス３０を用いて移動させることにより、ユーザーは色変換を行う画素の色範囲を設定することができる。なお、この選択色範囲指定部１０３は、画素Ｐ１のＲＧＢ値１０１の各ＲＧＢ値を０としたときに各色の階調（本実施例では２５６階調）に対してどの範囲の色までを色変換を行う画素として設定するかを決定するものである。
【００４０】
例えば、本実施例では、選択色範囲Ｒにおいて、レバー１０４ａ、１０４ｂにより−３から＋３の範囲に設定されている。このため、画素Ｐ１のＲＧＢ値１０１におけるＲ値１２８に対して−３以上＋３以下となるＲ値が１２５から１３１までの画素が選択され得ることを示している。  
一方、選択色範囲Ｇ及びＢにおいて、レバー１０５ａ、１０５ｂ及びレバー１０６ａ、１０６ｂにより−３から＋３の範囲に設定されている。しかしながら、画素Ｐ１のＲＧＢ値１０１におけるＧ値及びＢ値は０であるので、−３から＋３の範囲に設定されていてもＧ値及びＢ値が０から３までの画素が選択され得ることを示している。  
こうして、本実施例では、Ｒ値が１２５から１３１までの画素であって、Ｇ値及びＢ値が０から３までの画素が選択される。
【００４１】
ＰＣ２１は、この設定に基づいて、画素Ｐ１を基準にして、隣接する画素が前記色範囲に該当しない画素になるまで、前記色範囲に該当する画素か否かを順次判断する。すなわち、ＰＣ２１は、前記色範囲に該当する画素か否かを判断する判断部と該判断を実行させる判断実行部との役割を兼ねている。そして、本実施例においては、画像Ｄにおける円形画像Ｃｉを構成する画素が前記色範囲に該当するため、円形画像Ｃｉを構成する画素が画素指定部の役割を兼ねるＰＣ２１に指定される。  
なお、色範囲設定画面１００には、上記設定をキャンセルするためのキャンセルボタン１０７と、上記設定を保存するための保存ボタン１０８が表示されている。
【００４２】
そして、上記のようにＰＣ２１に指定された円形画像Ｃｉを構成する画素の色は、色変換部としての役割も兼ねるＰＣ２１により、設定部１０２で設定された色に変換される。本実施例においては、設定部１０２で設定された色は透明色であるため、円形画像Ｃｉを構成する画素は被記録媒体Ｍの色を反映させた色のデータ（すなわち記録を行わないことを表すデータ）に変換される。  
そして、記録データ生成部の役割も兼ねるＰＣ２１は、上記のように色の変換が行われた画像データに基づいて記録データを生成する。
【００４３】
なお、本実施例の記録システムは被記録媒体Ｍの画像を取り込むことが可能な構成となっており、この取り込まれた画像を図５のようにモニター３１に表示させることができるとともに、ＲＯＭ２４に格納されたテンプレートを表示させることも可能である。
【００４４】
また、本実施例において、ＲＯＭ２４は、ＰＣ２１により色変換する画素に指定された画素の色を各々格納する格納部としての役割を有している。ＰＣ２１は、ＲＯＭ２４に格納された各々の画素の色のずれに対応して、前記指定された画素の色を各々ずらして色変換後の色として指定することができる。例えば、前記指定された画素のうちの第１の画素の色変換前の色のＲ値、Ｇ値、Ｂ値が夫々１２８、０、０であり、色変換後の色のＲ値、Ｇ値、Ｂ値が夫々１２８、１、１であったとする。すると、前記指定された画素のうちの第２の画素の色変換前の色のＲ値、Ｇ値、Ｂ値が夫々１２７、０、０であった場合、色変換後の色のＲ値、Ｇ値、Ｂ値が夫々１２７、１、１となるように変換することが可能である。
【００４５】
また、本実施例のＰＣ２１において、前記指定された画素の色の変換を行う際のデータ処理方法は、透明色又は白色に変換する際と指定色に変換する際とで異なっている。指定色の記録を行う際には、カラーマッチング等には因らず、特定のマーク等については特定の色で記録を行うことがある。このため、透明色又は白色の記録を行う際とは異なるデータ処理が求められる場合がある。本実施例によれば、このような場合に対応できる。  
本実施例のＰＣ２１は、前記指定された画素のデータを透明色又は白色に対応するデータに変換する際はＲＧＢデータから直接ＣＭＹＫデータに変換する。そして、指定された画素のデータを指定色に対応するデータに変換する際はＲＧＢデータを別のＲＧＢデータに変換した後にＣＭＹＫデータに変換する。
【００４６】
また、本実施例のＰＣ２１は、図６で示すように、色変換を行う画素を選択する際に、所定の領域の画素Ｐ２を選択することも可能である。この場合、所定の領域の画素Ｐ２の平均値を基準に色範囲を設定可能である。さらに、本実施例のＰＣ２１は、このように設定された色範囲の画素からさらに一部の画素を選択可能な構成となっている。こうして選択された画素に基づいて色範囲を設定することで、特に狭い領域に様々な色を含む画像データにおいて、色変換を行うために指定したい画素をさらに正確に指定することが可能になっている。
【００４７】
図８は、別の実施例における色変換を行う画素を指定するための色範囲設定画面を表す図である。  
本実施例では、色変換を行う画素を指定するための方法として、上記実施例と同様、図８（Ａ）で表される画面によりＲＧＢ値による範囲設定を行う方法と、図８（Ｂ）で表される画面により視覚的に範囲設定を行う方法とを選択可能である。ＲＧＢ値による範囲設定を行うか視覚的に範囲設定を行うかは選択部１０９により選択でき、レバーＬで各項目の範囲設定することにより、上記実施例と同様に、色変換を行う画素を指定するための色範囲設定をすることが可能である。
【００４８】
［プログラムの実施例］  
上記実施例は、記録データ生成装置としてのＰＣ２１及びＰＣ２１と記録装置１とを有する記録システムの実施例であるが、ＰＣ２１のようなコンピューターを上記実施例のように機能させるプログラムも本発明に含まれる。
【００４９】
［記録データ生成方法の実施例］（図９）  
次に、本発明に係る記録データ生成方法の実施例について説明する。  
図９は、本発明の一実施例に係る記録データ生成方法を表すフローチャートである。  
なお、本実施例の記録データ生成方法は、上記記録システムを用いて行った実施例である。
【００５０】
本実施例の記録データ生成方法は、最初に、ステップＳ１１０において、記録データを生成するために用いられる画像データをモニター３１に表示する。なお、該画像データの表示は、図５又は図６に対応する画像の表示であり、下記各ステップの実行中も常に行われている。  
次に、ステップＳ１２０において、モニター３１に表示された前記画像データを構成する画素から、色変換を行う画素のうちの一部の画素を選択する。  
次に、ステップＳ１３０において、色変換を行う画素の領域を指定するための１ステップとして、ユーザーは前記一部の画素の色を基準に色範囲を設定する。色範囲を設定するためにモニター３１に表示される画面は図７又は図８に示されるとおりである。  
【００５１】
次に、ステップＳ１４０において、ステップＳ１２０で選択された画素が前記色範囲に該当する画素か否かを判断し、前記色範囲に該当する画素であればステップＳ１５０に進み、該判断がなされる対象を隣接する画素に移動した後に、ステップＳ１４０に戻る。  
すなわち、ステップＳ１４０とステップＳ１５０とを繰り返すことにより、前記画像データを構成する画素が前記色範囲に該当する画素か否かを、隣接する画素が前記色範囲に該当しない画素になるまで、前記一部の画素を基準として、順次判断する。
【００５２】
次に、ステップＳ１６０において、ステップＳ１４０とステップＳ１５０とを繰り返すことにより前記色範囲に該当すると判断された画素を指定する。すなわち、本ステップによって色変換を行う画素の領域が指定される。  
次に、ステップＳ１７０において、ステップＳ１６０で指定された画素の色を所望の色に変換する。なお、本実施例においては、透明色、白色、所望の指定色に変換可能である。  
次に、ステップＳ１８０において、ステップＳ１７０で色変換が行われた前記画像データに基づいて記録データを生成する。
【００５３】
［画像データ表示方法の実施例］（図１０）  
次に、本発明に係る画像データ表示方法の実施例について説明する。  
図１０は、本発明の一実施例に係る画像データ表示方法を表すフローチャートである。  
なお、本実施例の画像データ表示方法は、上記記録システムを用いて行った実施例であり、上記記録データ生成方法のステップＳ１１０に対応する画像データ表示方法である。
【００５４】
本実施例の画像データ表示方法は、最初に、ステップＳ２１０において、上記記録データ生成方法のステップＳ１７０で色変換を行う画素が透明色、白色、所望の指定色の何れに色変換されるように設定されているかを判断する。  
透明色に色変換されるよう設定されている場合は、ステップＳ２２０に進み、前記色変換を行う画素について、被記録媒体Ｍの地色を反映させてモニター３１に表示する。  
白色に色変換されるよう設定されている場合は、ステップＳ２３０に進み、前記色変換を行う画素について、被記録媒体Ｍの地色と白色での記録における白色インクの記録密度に対応する白色度とを反映させてモニター３１に表示する。  
【００５５】
また、所望の指定色に色変換されるよう設定されている場合は、ステップＳ２４０に進み、白色での記録を所望の指定色での記録に先立ってさらに行うかを判断する。  
白色での記録をさらに行う場合は、ステップＳ２５０において、指定色の色と白色での記録における白色インクの記録密度に対応する白色度とを反映させてモニター３１に表示する。  
白色での記録をさらに行う場合以外は、ステップＳ２６０において、指定色の色を反映させてモニター３１に表示する。なお、ステップＳ２６０において、指定色の透過率を設定した上で被記録媒体Ｍの地色と指定色の色を反映させてモニター３１に表示させてもよい。
【００５６】
図１１から図１４は画像データの表示例である。図１１は画像データの指定色での表示例であり、図１２は画像データの白色での表示例であり、図１３は画像データの透過率を設定した上での指定色での表示例であり、図１４は別の画像データの指定色での表示例である。  
【００５７】
図１１は画像データの指定色での表示例である。色選択部１１０で指定色（ＲＧＢ）を選択し、Ｒ値、Ｇ値、Ｂ値をレバーＬで選択することにより、ポインターＰを合わせてクリックされて指定された領域（円形画像Ｃｉ及び文字画像Ｃｈにおける「Ｊ」の文字）が色選択部１１０で指定された色で表示される。
【００５８】
図１２は画像データの白色での表示例である。色選択部１１０で白インク設定を選択し、白インク濃度をレバーＬで選択することにより、ポインターＰを合わせてクリックされて指定された領域（四角形画像Ｑ）が色選択部１１０で指定された白インク濃度（被記録媒体Ｍの地色と白色での記録における白色インクの記録密度に対応する白色度を反映させた色）で表示される。
【００５９】
図１３は画像データの透過率を設定した上での指定色での表示例である。色選択部１１０で透過率設定を選択し、透過率をレバーＬで選択することにより、ポインターＰを合わせてクリックされて指定された領域（円形画像Ｃｉ）が色選択部１１０で指定された透過率（被記録媒体Ｍの地色と指定色の色を反映させた色）で表示される。
【００６０】
図１４は別の画像データの指定色での表示例である。なお、（ａ）は色変換前の画像を表し、（ｂ）は色変換後の画像を表している。色選択部１１０で指定色（ＲＧＢ）を選択し、Ｒ値、Ｇ値、Ｂ値をレバーＬで選択することにより、ポインターＰを合わせてクリックされて指定された領域（花の画像Ｆ）が色選択部１１０で指定された色で、色変換前の画像の階調を保った上で表示される。すなわち、ＲＯＭ２４に色変換前の（ａ）の画像Ｆの画素の色を格納し、格納された各々の画素の色のずれに対応して、画像Ｆの画素の色を各々ずらして色変換して（ｂ）の画像Ｆとして表示している。
【符号の説明】
【００６１】
１  記録装置、２  媒体支持トレイ、３  移動機構、４  ステージ、
５  回転レバー、６  記録ヘッド、８  モニター、
９  コントロールパネル、１０  制御部、１１  ＣＰＵ、１２  システムバス、
１３  ＲＯＭ、１４  ＲＡＭ、１５  ヘッド駆動部、１６  キャリッジモーター、
１７  搬送モーター、１８  モーター駆動部、１９  入出力部、
２０  インターフェース、２１  ＰＣ、２２  ＣＰＵ、２３  システムバス、
２４  ＲＯＭ、２５  ＲＡＭ、２６  ＨＤＤ、２７  ＣＤ−ＲＯＭ、
２８  ＣＤ−ＲＯＭドライブ、２９  キーボード、３０  マウス、３１  モニター、
３２  インターフェース、３３  入出力部、５０  表示画面、
１００  色範囲設定画面、１０１  画素Ｐ１のＲＧＢ値、
１０２  変換後の色の設定部、１０３  選択色範囲指定部、
１０４ａ、１０４ｂ、１０５ａ、１０５ｂ、１０６ａ、１０６ｂ  レバー、
１０７  キャンセルボタン、１０８  保存ボタン、１０９  選択部、
１１０  色選択部、Ｃｉ  円形画像、Ｃｈ  文字画像、Ｄ  画像データに基づく画像、
Ｆ  花の画像、Ｌ  レバー、Ｍ  被記録媒体、Ｐ  ポインター、Ｐ１  画素、
Ｐ２  所定の領域の画素、Ｑ  四角形画像、Ｒ  媒体支持トレイ２に支持される領域
【図１】
2014116823.tif 000003
【図２】
2014116823.tif 000004
【図３】
2014116823.tif 000005
【図４】
2014116823.tif 000006
【図５】
2014116823.tif 000007
【図６】
2014116823.tif 000008
【図７】
2014116823.tif 000009
【図８】
2014116823.tif 000010
【図９】
2014116823.tif 000011
【図１０】
2014116823.tif 000012
【図１１】
2014116823.tif 000013
【図１２】
2014116823.tif 000014
【図１３】
2014116823.tif 000015
【図１４】
2014116823.tif 000016